(57)【要約】【課題】【解決手段】保持具および保持具に配置されている容器を備えるキットであって、異なる試薬液が異なる容器に含まれており、容器は、保持具の頂部にある開口可能な閉止装置によって配置され、保持具は、基部に配置するための底型を底部に有し、保持具は、ＳＢＳ規格によるマイクロタイタープレート用のラボ自動システムの少なくとも１つのワークプレイスに位置決めされる底部の位置決め手段を有する。【選択図】図１１
2015514998.tif 000002
【特許請求の範囲】
【請求項１】
保持具（３４）および前記保持具（３４）に配置されている容器（１５）を備えるキットであって、
異なる試薬液が異なる前記容器（１５）に含まれており、
前記容器（１５）は、前記保持具（３４）の頂部にある開口可能な閉止装置（１７）によって配置され、
前記保持具（３４）は、基部に配置するための底型（８）を底部に有し、
前記保持具（３４）が、ＳＢＳ規格によるマイクロタイタープレート用のラボ自動システム（４０）の少なくとも１つのワークプレイス（３９）に位置決めされる底部の位置決め手段（４１）を有し、
開口可能な閉止装置（１７）を備えた前記容器（１５）が、前記保持具（３４）の頂部に配置されるとともに前記保持具の保持手段（４）によって保持され、
前記保持具（３４）の前記底型（８）が垂直方向に傾斜して位置合わせされている水平方向の基部に配置されるときに、前記保持手段（４）が少なくとも１つの容器（１５）を保持することを特徴とするキット。
【請求項２】
請求項１に記載のキットにおいて、
前記位置決め手段（４１）が、前記ＳＢＳ規格によるマイクロタイタープレート用のラボ自動システム（４０）の少なくとも１つのワークプレイス（３９）の寸法に対応する寸法を備えた前記保持具（３）の基部の外縁部であることを特徴とするキット。
【請求項３】
請求項１に記載のキットにおいて、
前記保持手段が、容器（１５）が中に配置される前記保持具（３４）用の少なくとも１つのシート（４）を備え、
前記保持具（３４）の前記底型（８）が水平方向の基部に配置される場合に、前記容器（１５）が垂直方向に向かって傾斜するように位置合わせされる少なくとも１つのシートの少なくとも１つのガイド面（５．１２，５．１３，５．２，６．１１，６．２１）で、前記容器（１５）が当接することを特徴とするキット。
【請求項４】
請求項３に記載のキットにおいて、
前記ガイド面（５．１２，５．１３，５．２）が、前記底型（８）に対してある角度で傾斜している前記シートの底部であり、前記容器（１５）がその上に載置され、かつ／または、前記ガイド面（６．１１，６．２１）が前記シート（４）の側壁であることを特徴とするキット。
【請求項５】
請求項４に記載のキットにおいて、
前記シート（４）の側壁部（６．１１，６．２１）の一方にあり対向側にはない傾斜した底部（５）で、前記容器（１５）が前記シート（４）の頂部開口部（７）に当接し、観察者が前記シートの頂部開口部（７）を通して前記容器（１５）の側面にあるＩＤを観察することができることを特徴とするキット。
【請求項６】
請求項４または５に記載のキットにおいて、
前記傾斜した底部（５．１２，５．１３，５．２）を有する前記シート（４）の断面が、前記シート（４）の前記頂部開口部（７）に向かって上方に延びることを特徴とするキット。
【請求項７】
請求項４ないし請求項６のいずれかに記載のキットにおいて、
前記保持具（３４）が上部壁（２）および前記上部壁（２）から下方に延びる容器（３）を有し、前記頂部開口部（７）が前記上部壁（２）に形成され、前記シート（４）が前記容器（３）に形成されることを特徴とするキット。
【請求項８】
請求項７に記載のキットにおいて、
本体（１）の前記底型（８）  が、前記シートの底部（５）の底面に形成されていることを特徴とするキット。
【請求項９】
請求項８に記載のキットにおいて、
前記容器（３）が前記上部壁（２）から異なる長さまで下向きに延び、最も下方に突出する容器（３）の前記底部（５）の底面が、前記本体（１）の底型（８．１）を形成することを特徴とするキット。
【請求項１０】
請求項４ないし請求項９のいずれかに記載のキットにおいて、
前記傾斜した底部（５）を有する前記シート（４）が、互いにある距離をおいた２つの傾斜した底部領域（５．１２，５．１３）と、その間の１つの底部領域と（５．１１）を有し、前記１つの底部領域（５．１１）は前記底面とともに前記本体（１）の前記底型（８．１）の一部分を形成することを特徴とするキット。
【請求項１１】
請求項１ないし請求項１０のいずれかに記載のキットにおいて、
前記保持具（３４）が、前記容器（１５）を支える本体（１）と、前記底面の底型（８．２）で前記本体（１）を保持するアダプタ（１９）とを有するか、あるいは、前記保持具が、前記底面の前記底型（８．１）で前記容器（１５）を支える本体（１）であることを特徴とするキット。
【請求項１２】
請求項１１に記載のキットにおいて、
前記アダプタ（１９）が、下部（２０）の底面に前記底型（８．３）を備え、頂部（２１）が前記下部（２０）の上で側方に突出して前記本体（１）を受けるフレームを有し、かつ／または、前記本体（１）が、前記底面に底型（８．２）を備えた下部と、前記下部（２０）の上で側方に突出して前記容器（１５）を受ける頂部とを有することを特徴とするキット。
【請求項１３】
請求項１２に記載のキットにおいて、
前記アダプタ（１９）が２つの平坦な対向するハウジング壁（２２，２３）を有し、前記ハウジング壁（２２，２３）は前記下部（２０）および頂部（２１）の全高にわたり延びており、前記アダプタ（１９）が、２つのハウジング壁セクション（２４〜２７）を有し、前記ハウジング壁セクション（２４〜２７）はそれぞれ、前記ハウジング壁（２２，２３）の２つの縁部で、前記下部の領域（２０）において、前記対向する側壁（２３，２２）に対して垂直に位置合わせされ、前記頂部（２１）の領域において、前記２つの対向する側壁（２２，２３）は、前記角度をつけられたハウジング壁セクション（２４〜２７）の上で外方に突出しつつ、これらの側縁部でさらなるハウジング壁（３２，３３）によって、互いに接続されていることを特徴とするキット。
【請求項１４】
請求項１ないし請求項１３のいずれかに記載のキットにおいて、
前記容器（１５）が、容器本体（１６）および／または容器カバー（１７）にＩＤを有し、対応するＩＤ（１２）が、中に形成された前記シート（４）の頂部開口部（７）の隣にある前記保持具（３４）の上部壁（２）に配置されていることを特徴とするキット。
【請求項１５】
請求項１ないし請求項１４のいずれかに記載のキットにおいて、
前記保持具（３４）の上部壁（２）が、センサによってスキャン可能な少なくとも１つのさらなるＩＤ（１３）、および／または書き込み用の少なくとも１つの表面、および／またはラベル（１８）を有することを特徴とするキット。
【請求項１６】
請求項１ないし請求項１５のいずれかに記載のキットにおいて、
複数の保持具（３４）を容器（１５）付きおよび容器（１５）なしで互いに積み重ねることができるように、前記保持具（３４）が容器（１５）付きおよび容器（１５）なしで前記底面および前記頂面に相補的に成形されていることを特徴とするキット。
【請求項１７】
請求項１ないし請求項１６のいずれかに記載のキットにおいて、
前記保持具（３４）がカバーを備えていることを特徴とするキット。
【請求項１８】
請求項１ないし請求項１７のいずれかに記載のキットにおいて、
外装（４２）を備え、前記外装（４２）の中に少なくとも１つの保持具（３４）が配置されており、容器（１５）がカバー付きまたはカバーなしで前記少なくとも１つの保持具（３４）に配置されていることを特徴とするキット。
【請求項１９】
請求項１８に記載のキットにおいて、
容器（１５）が配置されている保持具（３４）の少なくとも１つのスタック、および／または中に反応容器を含むバッグ（４５）を備えることを特徴とするキット。
【請求項２０】
請求項１ないし請求項１９のいずれかに記載のキットにおいて、
前記本体（１）が、少なくとも１つの射出成形プラスチック、または少なくとも１つのプラスチック、および／または深絞りされるかあるいは機械的に生産される別の材料から製造され、かつ／または、
前記容器（１５）が少なくとも１つの射出成形プラスチックでできており、かつ／または吹出し成形され、かつ／またはガラスでできており、かつ／または少なくとも１つの深絞りされるプラスチックおよび／または別の材料からできており、かつ／または、
前記アダプタ（１９）が、少なくとも１つの射出成形プラスチック、または、深絞りされるかあるいは機械的に生産される少なくとも１つのプラスチックまたは別の材料からできており、かつ／または、
前記カバーが、少なくとも１つの射出成形プラスチック、または、深絞りされるかあるいは機械的に生産される少なくとも１つのプラスチックまたは別の材料からできており、かつ／または、
前記外装（４４）が、ボール紙および／または段ボールでできている折畳み式ボックスであることを特徴とするキット。
【請求項２１】
請求項１ないし請求項２０のいずれかに記載の容器を備えたキットのための保持具であって、前記保持具が、
（ａ）底面にある基部に配置するための底型（８）と、
（ｂ）ＳＢＳ規格によるマイクロタイタープレート用のラボ自動システム（４０）の少なくとも１つのワークプレイス（３９）に位置決めされる、底面の位置決め手段（４１）と、
（ｂ）頂部で容器を保持する保持手段（４）と、を備え、
前記保持具（３４）の前記底型（８）が水平方向の基部に配置されて垂直方向に傾斜して位置合わせされているときに、前記保持手段（４）が少なくとも１つの容器（１５）を保持することを特徴とする保持具。
【請求項２２】
試薬液を配置するためのラボ自動システムにおける、請求項２１に記載の保持具または請求項１から２１のうちの一項に記載のキットの使用。
【発明の詳細な説明】
【技術分野】
【０００１】
本発明は、さまざまな容器内のさまざまな試薬を含むキットに関する。
【０００２】
化学実験室、生化学実験室、生物学実験室、医学実験室あるいは法医学実験室において、ラボ自動システム（ワークステーション）を用いて数多くの処置を行うには、分析用サンプルを調製するのに使用可能な試薬液が必要である。この一例は、磁性粒子を用いた核酸の精製である。核酸は、精製用の試薬液に繰り返し溶解され、磁性粒子に付着し、ついで、試薬液から分離する。
【背景技術】
【０００３】
従来の方法では、通常、試薬液はラボ自動システムの作業台に手動で配置される。試薬液自体は、通常、整理されていない密閉された容器の集合体の形で供給され、ボール紙製の折畳み式ボックス内のプラスチック製の袋に入った状態で提供される。ユーザは、容器を開口し、この容器を指定された保持装置（ラック）に作業台上の所定の位置で配置しなければならない。このことによって、メソッドを自動的に行う際に、ラボ自動システムが確実に正しい試薬液にアクセスするようになる。ラボ自動システムの制御装置は、当然に、必要な試薬液が作業台の指定された位置に用意されることを想定するものである。場合によっては、ユーザが個々の試薬容器の内容物を、ラボ自動システムの制御装置により認識されたシステムが有するそれ用の容器に注入しなければならない。
【発明の概要】
【発明が解決しようとする課題】
【０００４】
国際特許公開第ＷＯ２００８／００３３３８Ａ１号は、少なくとも２つの異なるラボ容器のインサート用の所定数のスロットを有する支持フレームを備えた、実験室の液体用のモジュール式保管システムを記載している。インサートは、所望通り交換可能であり、形状が適合するように所望通りに結合された支持フレームのスロットに挿入される。また、インサートは、それぞれが少なくとも１つのラボ容器および／または少なくとも１つのラボ容器用の少なくとも１つのコンパートメントを有する。
【０００５】
必要な試薬液が入った容器を所定の位置に配置することは、時間がかかる。このことによって、混同する危険性が高まる。残りの試薬液を冷蔵庫に一時的に保管されるときに、容器はよく回収される。このことによって、混同が引き起こされる可能性がある。たとえば開口日が異なる容器が混同される。したがって、ユーザは、整理をするのに多くの時間を費やさなければならない。
【０００６】
別の問題点は、試薬液の残留物が頻繁に容器に残存することであり、この残留物はピペットまたはその他の計量装置を用いてラボ自動システムによって、除去不可能である。ユーザはしばしば多くの試薬液を添加する必要があり、このことがまたコストを増大させる。
【０００７】
この背景技術に対して、本発明の目的は、さまざまな容器内にさまざまな試薬液を含むキットであって、このキットによって、ラボ自動システムで試薬液を使用することが容易になるキットを提供することである。「容易になる」ということは、混同の危険性が低減すること、および試薬液で充填されている容器の容量をできるだけ多く使用することの両方または一方を意味する。
【課題を解決するための手段】
【０００８】
本目的は、請求項１の特徴を有するキットにより達成される。キットの有利な実施形態は、従属請求項において示されている。
【０００９】
本発明によるキットが、保持具および上記保持具に並べられている容器を備える。異なる試薬液が異なる容器に含まれ、容器が保持具の頂部に開口可能な閉止装置を備え、保持具が基部に配置するための底型を底部に有し、保持具が、ＳＢＳ規格によるマイクロタイタープレート用のラボ自動システムの少なくとも１つのワークプレイスに位置決めされる底部の位置決め手段を備えている。
【００１０】
本発明によるキットでは、試薬を有する容器を保持具に配置する。保持具は、ラボ自動システムの作業台において、ＳＢＳ規格によるマイクロタイタープレート用の少なくとも１つのワークプレイスに直接配置可能である。ラボ自動システムのワークプレイスは、通常、ＳＢＳ規格によるマイクロタイタープレートの型式に対して設計される。ワークプレイスの基部は、ＡＮＳＩ／ＳＢＳ１−２００４、すなわちマイクロプレート−フットプレート寸法によるマイクロタイタープレートの矩形の底型の外形寸法に適合する。この寸法は、１２７．７６ｍｍ×８５．４８ｍｍであり、許容誤差もまた規格化されている。これらのワークプレイスの基部は、ワークプレイスの止め具または他の位置決め手段によって、区切られており、これによって、確実にマイクロタイタープレートが配置される。エッペンドルフＡＧ社によるｅｐＭｏｔｉｏｎ（登録商標）タイプのラボ自動システムによって、ワークプレイスの角部が、作業台から突出するピンの形をした４つの位置決め部材によって、直角に区切られる。４つの位置決め部材が、作業台に堅固に接続されている。１つの位置決め部材は、斜め対向角の方向に可動に取り付けられ、ばねによって、その対向角に向かって予め力が付与されている。その対向角に、作業台に堅固に接続されている２つの位置決め部材がある。それぞれの場合、１つの位置決め部材のみが他の角部にある。位置決め部材が、ワークプレイスに配置されるマイクロタイタープレートの角部と接触する。可動式位置決め部材によって、マイクロタイタープレートを下げてマイクロタイタープレートを作業台から外すことがより容易になる。可動式位置決め部材は、マイクロタイタープレートを固定された位置決め部材に押圧して、プレートを作業台に正確に配置する。  
【００１１】
容器が上に配置されているキット保持具は、少なくとも１つのワークプレイスに直接位置決め可能である。正確な位置決めが容易となる。というのは、その位置決め手段がマイクロタイタープレートのＳＢＳ規格に適合したものであるためである。ユーザは、単に容器のカバーを開口し、位置決め手段を使用して開口している容器を備えた保持具をワークプレイスに配置するだけでよい。ラボ自動システムの制御装置は、試薬液を有する保持具を配置して特定のメソッドを行うために、指定されたワークプレイスを認識している。さらに、ラボ自動システムの制御装置は、保持具上の異なる試薬液を含む容器が供給された配置を認識している。したがって、ラボ自動システムは、知られている容器の配置に基づいて方法を行いつつ、そのピペットまたは別の計量装置を頂部から開口している容器に導入することができ、必要な対応量の試薬液を容器から直接除去して他の容器に追加するか、必要な対応する量の試薬液を容器から除去するか、または別の方法で必要な対応量の試薬液を処理できる。キットの試薬液のみが部分的に消費された後、管を備えた保持具を作業台から取り外し、容器を閉止した後で冷蔵庫に保管できる。一度キットを使用し終わると、保持具を容器およびカバーと共に実験室の廃棄物に廃棄できる。この保持具および容器は、経済的な使い捨て物品（ディスポーザブル）として、好ましくは設計される。
【００１２】
本発明によるキットは、固有の試薬液を備えた個々の容器を探し、異なる容器を正確に配置するという課題を解決する。ユーザは、単に容器を開口し、保持具とともに容器をワークプレイスに位置決めするだけでよい。混同の危険性は極めて低くなる。というのは、容器を保持具のそれらが割り当てられた位置に保持できるからである。
【００１３】
好ましい一実施形態によると、保持具の位置決め手段が、保持具を単一のワークプレイスに配置するように設計されている。保持具の位置決め手段は、ただ１つのワークプレイスの他の位置決め手段と相互に干渉する。保持具の位置決め手段の本実施形態は、保持具の基部がワークプレイスの基部に対応するか、おそらくわずかにワークプレイスの基部を越えて、保持具のみが単一のワークプレイスおよびおそらくはこのワークプレイスと隣接したワークプレイスとの間のスペースを占有する場合に、好ましい。保持具の位置決め手段は、保持具の基部が、ラボ自動システムの作業台の複数のワークプレイスを占有するのに十分に大きな場合に、単一のワークプレイスの他の位置決め手段と相互に干渉するように設計されてもよい。保持具の寸法が複数のワークプレイスを占有するのに十分に大きい場合、別の実施形態による保持具の位置決め手段が、複数のワークプレイスを参照して保持具を配置するように設計されてもよい。この場合、保持具の位置決め手段は、複数のワークプレイスの他の位置決め手段と相互に干渉する。
【００１４】
一実施形態によると、保持具の位置決め手段は、ＳＢＳ規格によるマイクロタイタープレート用のラボ自動システムの少なくとも１つのワークプレイスの寸法に対応する寸法を備えた保持具の基部の外縁部である。位置決め手段のみが単一のワークプレイスの他の位置決め手段と相互に干渉する場合、保持具は、底部の外形寸法がマイクロタイタープレートの外形寸法に対応する。このような外形寸法の対応は、ワークプレイスの他の位置決め手段と相互に干渉する保持具の領域に限定されてもよい。他の位置決め手段がワークプレイスの角部に配置されるピンである場合、寸法の対応は保持具の角部に限定されてもよい。しかし、保持具の底縁部の外形寸法がすべて、ＳＢＳ規格によるマイクロタイタープレートの外形寸法に対応することが好ましい。
【００１５】
保持具の位置決め手段が４つのワークプレイスのマトリックス状の配置にある他の位置決め手段と相互に干渉する場合、位置決め手段は、４つのワークプレイスからなる配置の角部を定める４つのピンに割り当てられる保持具の四隅に設計されてもよい。保持具が４つのワークプレイスからなる配置の外面でピンと衝突しないように、保持具が四隅の間に底部凹部を有していてもよい。４つのワークプレイスは、この配置の角間に配置されている。
【００１６】
別の実施形態によると、位置決め手段が、保持具の底面から延びる突起に少なくとも部分的に設計されている。たとえば、保持具の底部の外縁部は、保持具の底型または底型の一部分を形成する周縁基部または複数の脚部を有する。周縁基部またはそれぞれのフット内で、フレーム状の突起が外縁部とともにたとえば下方へ延びる。外縁部は、少なくとも１つのワークプレイスの他の位置決め手段に対して位置決めを行うための保持具の位置決め手段を形成する。本実施形態は、たとえば、単一のワークプレイスの基部よりも大きな基部を有する保持具を選択されてもよい。別の実施形態によると、保持具の位置決め手段は、保持具の基部の外縁部によって、部分的に、かつ外縁部内で保持具の底部から延びる少なくとも１つの突起によって、部分的に形成される。特に、可能なのは、位置決め手段が、保持具の基部の２つの隣接した外縁部によって、かつ外縁部内で保持具の底部から延びる突起により形成されることである。位置決め手段として用いられる外縁部によって、底部の突起により形成される位置決め手段がワークプレイスの対応する位置決め手段と位置合わせされるように、保持具をワークプレイスの他の位置決め手段に設定できる。このとこによって、保持具がワークプレイスにより簡単に配置される。
【００１７】
好ましい一実施形態によると、容器が保持具の保持手段により保持される。保持手段は、これらが頂部および保持具上の特定の位置で開口可能な閉止装置によって、容器を保持し、特に搬送時にこれらが倒れないように好ましくは設計される。保持手段は、保持具が基部に配置されるときに垂直に位置合わせされている容器のすべてまたはいくつかを保持するように設計可能である。保持手段はまた、保持具が水平方向の基部に配置されるときに、鉛直角で位置合わせされている容器のすべてまたはいくつかを保持するように設計されることもできる。最後に引用した実施形態は、独立請求項３の主題である。保持手段は、別々に設計可能である。保持手段は、好ましくは容器を挿入することのできる保持具用シートである。別の実施形態によると、保持手段は、容器を支持する支持手段である。たとえば、保持具は、プレート状の収納手段と、多孔板の形をした支持手段とを含む。支持手段は、スペーサを用いて本体からある距離をおいて保持されている。容器は多孔板の孔に挿入され、それらの容器の底部は多孔板に載置される。
【００１８】
さらに、本目的は、請求項３の特徴を有するキットにより達成される。キットの有利な実施形態は、従属請求項に示されている。
【００１９】
本発明によるキットは、保持具および保持具に配置されている容器を含む。異なる試薬液が異なる容器に含まれており、容器は、保持具の頂部にある開口可能な閉止装置により配置され、保持具は、基部に配置するための底型を底部に有し、容器は、保持具の保持手段により保持され、保持具の底型が垂直方向に傾斜して位置合わせされている水平方向の基部に配置されるときに、保持手段は少なくとも１つの容器を保持する。
【００２０】
流体が、ピペットおよび他の計量装置によって、特定の流体レベルまでのみ容器から除去されることができるので、残液が常に容器内に残る。従来は、容器が保持装置によって、ラボ自動システムの作業台に垂直方向に位置合わせされて保持される。したがって、流体が容器の底部にわたり、あるいは容器の底部にある中央の高いバルジ周辺で均一に分布する。その結果、容器内に残る残液は比較的多くなる。本発明によるキットでは、保持具がラボ自動システムの水平方向の作業台に配置される場合には、少なくとも１つの容器が、容器を垂直方向に向かって傾斜して保持する保持具の保持装置により支持される。垂直方向へ傾けると、残液が傾斜した容器の底部の最も低い位置で集まり、頂部から開口している容器に導入するピペットまたは別の計量装置によって、ほとんど除去できる。保持具は、好ましくは多くの、あるいは一つの保持手段を有する。保持手段は、保持具が水平方向の基部に配置されるときに、試薬液のほぼすべてができるだけ多くの容器において、使用されることができるように、垂直方向にある角度で容器を保持する。しかし、保持具が、特に高価な試薬液を備えた容器を保持することのできるような１つまたは少しの保持手段を有することもまた有利であろう。保持具が水平方向の底型に配置される場合には、容器を他の保持手段によって、垂直に位置合わせすることができる。このことによって、保持具のスペースをより良好に使用できる。
【００２１】
請求項３のキットは、望ましくは、請求項１および２のいずれか一項のキットの特徴を有することができる。
【００２２】
一実施形態によると、保持手段が、容器が中に配置される保持具用の少なくとも１つのシートを含み、保持具の底型が水平方向の基部に配置される場合に、容器が垂直方向に向かって傾斜するように位置合わせされる少なくとも１つのシートの少なくとも１つのガイド面で、容器（１５）に当接する。容器はひっくり返らないようにシートに保たれる。ガイド面は、底部および／またはシートの側壁である。ガイド面は、シートの底部および側壁によって、好ましくは形成される。ガイド面は、連続的な均一の表面であってもよい。ガイド面はまた、間に隙間がある複数の部分的表面から形成されてもよい。
【００２３】
好ましい一実施形態によると、ガイド面は、底型に対してある角度で傾斜しているシートの底部であり、容器がその上に載置される。保持具が水平方向の基部に載置される場合、その上に載置されている容器が垂直方向に傾斜するように、底部は水平方向に向かって傾斜する。シートの側壁は、好ましくは、容器の側面を支持する別のガイド面を形成する。
【００２４】
別の実施形態によると、シートの側壁部の一方にあり対向側にはない傾斜した底部を有するシートに容器があるので、観察者がシートの頂部開口部を通して容器の側面にある識別表示を観察できる。傾斜した容器と保持具との間には、観察者が容器の側面を見ることのできる頂部開口部の領域に隙間が残る。このことによって、観察者は容器の側面の識別表示を読むことができ、ラボ自動システムの制御装置により推定される保持具の位置を容器が想定しているかどうかを調べる。容器とシートとの間に隙間があるにもかかわらず、容器は底部の傾斜によって、シートの固定位置に保持される。
【００２５】
別の実施形態によると、傾斜したシートの断面がシートの開口部に向かって上方に延びる。これによって、識別表示が読み易くなる。さらに、製造の観点において、シートの断面が上向きに延びることは有利である。というのは、２つ金型を使用して保持具を射出成形することがより容易になるからである。
【００２６】
別の実施形態によると、保持具が上部壁および上部壁から下方に延びる容器を有し、シートの開口部が上部壁に形成され、シートが容器に形成される。本実施形態は、材料を節約し、かつ製造しやすい。
【００２７】
別の実施形態によると、底型がシートの底部の底面に形成される。このことによってもまた、材料が節約され、製造に必要な労力の量が減少する。別の実施形態では、底型が、上部壁の縁部から下向きに延びるフレームの底縁により形成される。別の実施形態では、底型が、上部壁から下向きに延びるフットの底端部により形成される。
【００２８】
別の実施形態によると、容器が上部壁から異なる長さまで下向きに延び、さらに下方に突出する容器が、それらの底部の底面によって、底型を形成する。小さなシートの断面が用のシートを備えた容器が、大きなシートの断面が用のシートを備えた容器ほどは下向きに延びなくてもよい。このこともまた、材料を節約する。
【００２９】
別の実施形態によると、底部が傾斜したシートが、互いにある距離をおいた２つの傾斜した底部領域と、その間の１つの底部領域とを有し、その１つの底部領域は底面とともに底型の一部分を形成する。これによって、傾斜した底部の一部に底型を形成できる。互いからある距離をおいた傾斜した底面によって、シートが上向きに延びる場合であっても、容器はシートにひっくり返ることが確実にない。
【００３０】
一実施形態によると、保持具が、容器を支える本体と、底面の底型で本体を保持するアダプタとを有するか、あるいは、保持具が、底面の底型で容器を支える本体である。第１の変形例では、底型を備えたアダプタは、ラボ自動システムの作業台に配置されていてもよい。アダプタは、容器を支える本体を保持する。アダプタは、ピペットまたはラボ自動システムの別の計量装置が到達できるレベルに容器を配置するのに役に立つ。本実施形態では、本体は、好ましくは底面にそれ自体の底型を有し、アダプタなしで基部に本体を設定するのに使用可能である。本体の底型が基部に設定される場合でも、少なくとも１つの容器が垂直方向に傾斜して位置合わせされることもできるように、本体の底型は、好ましくは、アダプタの底型と平行に位置合わせされる。
【００３１】
第２の変形例では、保持具は、容器を支えて底型を有する本体である。本体は、作業台に直接に配置されることができる。アダプタはない。
【００３２】
キットの一実施形態によると、保持具が、保持手段を有する本体と、底面の底型で本体を保持するアダプタとを含むか、あるいは、保持具が、保持手段と底面の底型を有する本体である。第１の変形例では、本体は、好ましくは、本体の底型が水平方向の基部に配置される場合に垂直方向に傾斜した容器を保持する少なくとも１つの保持手段を有する。しかし、本体が、本体の底型が水平方向の基部に配置される場合に、容器を垂直に位置合わせしたまま保つ保持手段だけを有することも可能である。本実施形態では、アダプタの底型に対して傾斜して位置合わせされている状態で、本体を保持するアダプタによって、アダプタの底型に対して容器を傾斜させることが可能である。
【００３３】
一実施形態において、アダプタが、下部の底面に底型を備え、頂部が下部の上で側方に突出して本体を受けるフレームを有し、かつ／または、本体が、底面に底型を備えた下部と、下部の上で側方に突出して容器を受けるための頂部とを有する。別の実施形態によると、下部の外縁部が位置決め手段である。これらの実施形態によって、複数またはそれぞれ大きな容器が配置されている保持具によって、ラボ自動システムのワークプレイス間の隙間が使用可能である。第１の変形例では、アダプタによって、本体をアダプタの基部より大きな基部で使用可能になる。第２の変形例では、本体が頂部の容器を収容し、頂部の断面は本体の底型よりも大きい。
【００３４】
別の実施形態では、アダプタが２つの平坦な対向するハウジング壁を有し、ハウジング壁は下部および頂部の全高にわたり延びている。アダプタが、２つのハウジング壁セクションを有し、このハウジング壁セクションはそれぞれ、ハウジング壁の２つの縁部で、下部の領域において、対向する側壁に対して垂直に位置合わせされ、頂部の領域において、２つの対向するハウジング壁は、角度をつけられたハウジング壁セクションにおいて、外方に突出しつつ、これらの側縁部でさらなるハウジング壁によって、互いに接続されている。このアダプタによって、下部の基部より大きな基部を有する本体を使用することが可能となる。このアダプタの構造設計は、特に簡単である。
【００３５】
別の実施形態によると、容器は、容器本体および／または容器カバーにＩＤを有し、対応するＩＤが中に形成されたシートの開口部の隣にある保持具の上部壁に配置されている。このことによって、ユーザが、ラボ自動システムの制御装置により想定される意図された位置に容器が配置されているかどうかを確認できる。必要に応じて、ユーザは、ＩＤに従って容器を正確に配置できる。容器カバー上のＩＤによって、容器を閉止し保管する時に容器カバーを容器に割り当てることがより容易になる。容器本体上のＩＤによって、カバーが除去される時にさえ容器をシートに割り当てることがより容易になる。一実施形態によると、ＩＤは、カラーコード、バーコード、数値コード、または上述のタイプのコードのうちの１つ以上の組合せである。
【００３６】
別の実施形態によると、保持具の上部壁は、センサによって、スキャン可能な少なくとも１つのさらなるＩＤ、および／または書き込み用の少なくとも１つの表面、および／またはラベルを有する。このさらなるＩＤは、特に、キットの種類を識別できる。ラボ自動システムは、センサを使用してさらなるＩＤをスキャンすることができ、方法を行うのに必要な試薬液がワークプレイスに配置されるかどうか、あるいは試薬液が意図された位置にそれぞれ配置されているかどうかを確認できる。ラボ自動システムが必要とされた試薬液を識別しない場合、ラボ自動システムは警告を出力できる。試薬液が意図された位置に配置されていない場合、想定した位置でも方法に従って試薬液もまた使用されるように、ラボ自動システムは警告を出力することもできるし、あるいは、方法を変更できる。ＩＤが特定の位置に配置されるか、あるいは特定の位置合わせで保持具に配置される場合、ラボ自動システムが正確なワークプレイスで位置の異常を識別できる。ラボ自動システムは、保持具に対するＩＤの位置または位置合わせを使用して、保持具が関連するワークプレイスに正確に配置されているかどうかを判断する。一実施形態によると、さらなるＩＤが、収納手段の上部壁にある１つ以上の孔により形成されている。好ましい一実施形態によると、上部壁が特定の位置に一連の複数の孔を有し、ラベルが、孔のすべてまたはそのいくつかのみをカバーするか、あるいは孔をカバーしない上部壁に配置される。ラベルは、このために孔の上にさらなる孔を有していてもよい。コードは、開放されているか、あるいはそれぞれカバーされている孔の数および配置により決定される。本実施形態によって、特にコードを変更し易くなる。
【００３７】
書き込み用の表面および／または保持具のラベルは、視覚資料なしで通常の視覚でユーザが読み取れるラベルまたは別のＩＤを書込みすることのできるように、寸法を決められる。
【００３８】
別の実施形態によると、複数の保持具を容器付きおよび容器なしで互いに積み重ねることができるように、保持具が容器付きおよび容器なしで底面および頂面に相補的に成形されている。このことによって、本発明によって、スペースをとらない方法で、複数のキットを搬送して保管できる。
【００３９】
容器カバーは、ネジ止めされ、クリップ留めされ、積層することのできるカバーであり、金属箔または別の金属箔からなる。さらに、カバーは、スルーホール・カバーであってもよい。容器の組が、同じ種類または異なる種類のカバーを備えていてもよい。
【００４０】
別の実施形態によると、保持具がカバーを備えている。カバーは、保管および運搬中に、キットまたはそれぞれの容器を保護する役割をする。保持具が手動またはラボ自動システムの把持部によって、着脱できるように、カバーと保持具とが好ましくは接続されている。
【００４１】
別の実施形態によると、キットは、外装（４２）を備え、前記外装（４２）の中に少なくとも１つの保持具（３４）が配置されており、容器（１５）がカバー付きまたはカバーなしで少なくとも１つの保持具（３４）に配置されている容器がカバー付きまたはカバーなしで配置されている。外装は、キットを保管し、搬送し、出荷するのに使用される。ユーザは、容器が配置されている保持具を外装から取外し、ラボ自動システムに配置できる。
【００４２】
別の実施形態によれば、キットが、容器が配置されている保持具のスタック、および／または外装に反応容器を含むバッグを備える。保持具および容器、および／または反応容器の数は、所定数の検査を行うのに十分であるよう計算される。
【００４３】
別の実施形態によると、本体は、少なくとも１つの射出成形プラスチック、または少なくとも１つのプラスチックおよび／または深絞りされるかあるいは機械的に生産される別の材料からなる。
【００４４】
別の実施形態によると、容器が少なくとも１つの射出成形プラスチック、および／または吹出し成形処理による少なくとも１つのプラスチックでできており、かつ／またはガラスでできており、かつ／または少なくとも１つのプラスチックおよび／または別の材料から深絞りされる。
【００４５】
別の実施形態によると、アダプタは、少なくとも１つの射出成形プラスチック、または、少なくとも１つのプラスチックまたは深絞りされるかあるいは機械的に生産される別の材料からなる。
【００４６】
別の実施形態によると、カバーは、少なくとも１つの射出成形プラスチック、または、少なくとも１つのプラスチックまたは深絞りされるかあるいは機械的に生産される別の材料からなる。
【００４７】
別の実施形態によると、外装は、ボール紙および／または段ボールでできている折畳み式ボックスである。
【００４８】
別の実施形態によって、保持具、および／またはカバー、および／または容器用のプラスチックは、ポリプロピレンからなる。
【００４９】
別の実施形態によると、アダプタの材料は、アルミニウムまたは別の金属である。
【００５０】
さらに、本発明は、請求項２２による保持具および請求項２３による保持具またはキットの使用に関する。
【００５１】
本発明を、例示的な実施形態の添付の図面を用いて、以下により詳細に説明する。
【図面の簡単な説明】
【００５２】
【図１】保持具の本体の平面図である。
【図２】図１の線ＩＩ‐ＩＩに沿って見た保持具の本体の垂直方向断面図である。
【図３】図１の線ＩＩＩ‐ＩＩＩに沿って見た保持具の本体の垂直方向断面図である。
【図４】図１の線ＩＶ‐ＩＶに沿って見た保持具の本体の垂直方向断面図である。
【図５】図１の線Ｖ‐Ｖに沿って見た保持具の本体の垂直方向断面図である。
【図６】保持具の２つの積み重ねられた本体の正面図である。
【図７】図６のＶＩＩ‐ＶＩＩから見た保持具の積み重ねられた本体を示す垂直断面図である。
【図８】保持具の積み重ねられた本体の側面図である。
【図９】容器を備えた保持具の２つの積み重ねられた本体の前面図である。
【図１０】容器を備えた保持具の本体の平面図である。
【図１１】図９の線ＸＩ‐ＸＩに沿って見た容器を備えた保持具の積み重ねられた本体を示す断面図である。
【図１２】容器を備えた保持具の積み重ねられた本体の側面図である。
【図１３】容器を備え容器カバーのない保持具の本体の平面図である。
【図１４】容器およびアダプタを備えた本体を含む保持具の前面図である。
【図１５】容器を備えた保持具の側面図である。
【図１６】図１４の線ＸＶＩ‐ＸＶＩに沿って見た容器を備え容器カバーのない保持具を示す断面図である。
【図１７】図１４の線ＸＶＩＩ‐ＸＶＩＩに沿って見た容器を備え容器カバーのない保持具を示す断面図である。
【図１８】図１４の線ＸＶＩＩＩ‐ＸＶＩＩＩに沿って見た容器を備え容器カバーのない保持具を示す断面図である。
【図１９】図１４の線ＸＩＸ‐ＸＩＸに沿って見た容器を備え容器カバーのない保持具を示す断面図である。
【図２０】ラボ自動システムのワークプレイスにある、容器を備え容器カバーのない保持具を示す図である。
【図２１】傾斜した容器におけるピペット先端部の導入の垂直方向断面図である。
【図２２】別の傾斜した容器におけるピペット先端部の導入の垂直方向断面図である。
【図２３】上方に隆起した底部を備えた垂直方向に位置合わせされた容器における、ピペット先端部の導入の垂直方向断面図である。
【図２４】下方に隆起した底部を備えた垂直方向に位置合わせされた容器における、ピペット先端部の導入の垂直方向断面図である。
【図２５】開口しているカバーを有するボール紙でできている外装に、空の反応容器を間に含む２つのバッグを有する容器を備えた、本体の２つのスタックの垂直方向断面図である。
【図２６】図２５を上方および側面からある角度でみた配置の斜視図である。
【発明を実施するための形態】
【００５３】
本願において、「頂部」および「底部」の記載、ならびに他の位置的記載は、水平方向の基部にある底型を備えた保持具の配置に関する。
【００５４】
図１から図５によると、本体１が矩形の頂壁２を有する。頂壁２は、底面から突出し、それぞれが容器用のシート４を有するコンテナ３を有する。コンテナ３は、それぞれ底部５および側壁６を有する。側壁６は底部から頂壁まで延びる。頂壁２には、コンテナ３はそれぞれ頂部開口部７を有する。各シート４は、頂部開口部７を通って外側から接近できる。
【００５５】
本体１は、４つの異なる種類のコンテナ３およびシート４を有する。シート４．１、矩形の底部５．１、側壁６．１、および頂部開口部７．１を有するコンテナ３．１が、本体の四隅にそれぞれ配置される。コンテナ３．１は、頂壁２から最も遠くに下向きに延びている。コンテナ３．１のそれぞれは、矩形の断面を有し、その断面は底部から頂部まで広がる形状をしている。コンテナ３．１はそれぞれ、頂壁と平行して位置合わせされる底部５．１の底部領域５．１１を有し、それらの底面は共に本体１の底型８．１に属する。
【００５６】
さらに、各コンテナ３．１は、底型８に対して鋭角に傾斜する平坦な底部領域５．１２，５．１３を有する。傾斜した底部領域５．１２，５．１３は、頂壁２に平行に延びる底部領域５．１１の一部分によって、互いから分離される。
【００５７】
コンテナ３．１の傾斜した底部領域５．１２，５．１３は、頂壁２の短辺に向かって平行である垂直方向断面図では、傾斜している。各コンテナ３．１の傾斜した底部領域５．１２，５．１３は、共通平面に配置されている。すべてのコンテナ３．１の傾斜した底部領域５．１２，５．１３は、互いに平行に位置合わせされる。
【００５８】
図１によると、頂壁２に平行に延びる底部５の底部領域５．１１は、一方が平面図では半円形の傾斜した底部領域５．１２によって、他方が平面図では矩形の傾斜した底部領域５．１３によって、境界がつけられている。図２によると、半円形の底部領域５．１２は、矩形の底部領域５．１３よりも底型８．１に近くなるように配置されている。
【００５９】
各コンテナ３．１は、側壁部６．１１を有する。側壁部６．１１は、頂壁２に向かって鋭角に傾斜し、傾斜した底部領域５．１２，５．１３に対して直角に位置合わせされている。頂壁２に向かって鋭角に傾斜しているコンテナ３．１すべての側壁部６．１１は、互いに平行である。
【００６０】
各コンテナ３．１の残りの側壁部６．１２，６．１３、６．１４は、本体の頂壁に対してほぼ垂直に配置されている。コンテナ３．１の２つの側壁部６．１３，６．１４は、頂壁２からの距離が大きくなるにつれてそれらの間隔がわずかに減少するように、互いに対してそれぞれわずかに傾斜している。このことは、図６に示されている。
【００６１】
コンテナ３．１はそれぞれ、頂部開口部７．１の隣に小さな段部９．１，９．２がある。段部９．１，９．２は、図１、図２、および図５に示されており、頂壁の短辺および長辺に隣接する。
【００６２】
頂壁２の縁部は、わずかに下向きに延びる縁取材１０によって、区切られ、固定されている。コンテナ３．１の領域では、縁取材１０は、上方垂直に位置合わせされるコンテナ３．１の側壁部６．１１〜６．１４の頂縁部領域によって、段部９．１，９．２の上に形成されている。
【００６３】
２組のコンテナ３．１の間にある隙間１１には、２つのコンテナ３．２が、シート４．２および頂部開口部７．２を備えて互いに隣り合わせに配置されている。これらのコンテナ３．２は、コンテナ３．１ほどは頂壁２から下向きに延びない。コンテナ３．２は、頂壁２の短辺と平行して互いに隣り合わせに配置されている。コンテナ３．２は、円形で平坦な底部５．２を有し、底部５．２は全体として底型８．１に向かってある角度で傾斜している。
【００６４】
すべてのコンテナ３．２の傾斜した底部５．２は、互いに平行に位置合わせされている。底部５．２は、頂壁２の短辺に平行の垂直方向断面では、傾斜している。
【００６５】
コンテナ３．２はそれぞれ、半円筒状の側壁部６．２１を有する側壁６．２を有する。図３および図４によると、側壁部６．２１は、底部５．２および４に対して垂直に、頂壁２に対して鋭角で位置合わせされる。さらに、各コンテナ３．２の側壁６．２は、別の半円筒状の側壁部６．２２を有する。側壁部６．２２は、頂壁２に対して垂直に位置合わせされ、図３および図４によると、底部５．２に鈍角で接触している。半円筒状の側壁部６．２１，６．２２の軸は、頂壁２の辺に対して平行に走る垂直断面に配置されている。
【００６６】
コンテナ３．２の２つの半円筒状の側壁部６．２１，６．２２は、平坦な側壁部６．２３，６．２４によって、互いに接続されている。側壁部６．２３，６．２４は、その幅が底部から頂部に向かって増加し、頂壁２に対して垂直に、頂壁２の短辺に対して平行に位置合わせされる。図３によると、これらの側壁部６．２３，６．２４は、基本的に三角形である。したがって、コンテナ３．２の横断面は、底部から頂部に向かって広くなる。
【００６７】
さらに、シート４．３，４．４、底部５．３，５．４、側壁６．３，６．４および頂部開口部７．３、７．４を備えたコンテナ３．３，３．４は、頂壁２の長辺の隣にある２組のコンテナ３．１間の隙間１１に配置されている。コンテナ３．３，３．４は円筒状であり、円柱軸が頂壁２に対して垂直に位置合わせされている。
【００６８】
コンテナ３．３、３．４はそれぞれ、頂部の側壁部６．３１，６．４１の底端部に、頂壁２と平行に位置合わせされている上部の底部領域５．３１，５．４１を有する。底部の中空円筒状の側壁部６．３２，６．４２は、上部の底部領域５．３１，５．４１で終端し、下部の底部領域５．３２，５．４２によって、底面で密封されている。下部の底部領域５．３２，５．４２の底面は、それぞれ、本体１の底型８．１の一部分である。
【００６９】
コンテナ３．３は、コンテナ３．４よりも断面が小さい。
【００７０】
数字の形式のＩＤ１２が、各コンテナ３．１〜３．４に隣接している。コンテナ３．１のＩＤ１２．１はそれぞれ、２つの隣接したコンテナ３．１間に配置され、数字の隣に配置されている矢印は、それぞれの場合どのコンテナ３．１に数字が与えられているかを示している。
【００７１】
さらに、一連の孔１４が、別のＩＤ１３として頂壁に配置されている。一連の孔１４は、頂壁２の短辺に対して平行に位置合わせされている。
【００７２】
本体１は、プラスチックを射出成形することによる単一部品として製造される。このプラスチックは、たとえばポリプロピレンである。
【００７３】
図２から図５によると、本体１は、水平方向の基部に設置されてもよく、底型８．１は、コンテナ３．１，３．３，３．４の底部領域５．１，５．３２，５．４２の底面上の水平方向の基部に載置される。
【００７４】
図６から図８によると、２つ以上の同一の本体１が、互いに積み重ねられてもよい。上部本体１のコンテナ３．１の底部領域５．１１が、下部本体１のコンテナ３．１の頂部開口部７．１の下にある段部９．１，９．２に載置される。本体１が互いに水平方向に移動するのを防ぐ、というのは、上部本体１のコンテナ３．１は、下部本体１のコンテナ３．１の頂部開口部７．１に係合するからである。
【００７５】
図９から図１２によると、容器１５が本体１のシート４に挿入されている。これらは、容器本体１６および螺合可能な容器カバー１７を有する容器１５またはバイアルである。４つの異なる種類の容器１５．１〜１５．４があり、容器１５のうちの少なくともいくつかが異なる試薬液を含む。
【００７６】
螺合可能な容器カバー１７．３，１７．４を備えた容器１５．３，１５．４の代わりに、反応容器が押圧プラグの形をした容器カバーを有するシート４．３，４．４に挿入されてもよく、容器カバーは、一体化したカバー・ホルダによって、容器本体に接続可能である。この一体化したカバー・ホルダは、たとえば、単一部品として容器カバーおよび容器本体を互いに連結する成形済の可撓性タブである。容器カバーを開口位置に保持するために、一実施形態による本体１が、国際特許公開第ＷＯ２００８／００３３３８Ａ１号に記載されているホルダを備えている。図９の位置４４を参照のこと。国際特許公開第ＷＯ２００８／００３３３８Ａ１号の関連する実施形態は、参照によって、本願に含まれる。この種の設計を有する本体１では、反応容器が本体１に上から挿入されている。搬送するには、容器をカバーで閉止する。このカバーは、容器の形を模している。ユーザが容器を開口したい場合、ユーザはわずかに容器を持ち上げて、カバーを開け、カバーを成形済のカバー・ホルダにねじ込みながら容器を開口部に配置しなおすことができる。カバーは垂直方向上方に延びており、したがって、自動システムにある容器から流体を抜くのを妨げない。
【００７７】
断面が矩形の容器本体１６．１を有する容器１５．１が、コンテナ３．１に挿入される。コンテナ３．２〜３．４は、断面が円形の容器本体１６．１〜１６．４を備えた容器１５．２〜１５．４を収容する。
【００７８】
底部領域５．１２，５．１３および底部５．２、ならびに側壁部６．１１，６．２１は、容器１５．１，１５．２を位置合わせするガイド面である。容器１５．１，１５．２は、底部領域５．１２，５．１３またはそれぞれ底部５．２に載置され、それぞれシート４．１，４．２の側壁部６．１１または６．２１に寄りかかっている。これによって、本体１の底型８．１が図９から図１２に示すように水平方向の基部に載置される場合、コンテナ３．１および３．２に容器１５．１，１５．２を垂直方向にある角度で傾斜して配置できる。
【００７９】
シート４．１，４．２の断面が底部から頂部まで広がっているので、観察者は、上から容器本体１６．１，１６．２の側面を見ることができる。このことは、特に図１０および図１１に示されている。
【００８０】
容器１５．３，１５．４は、底部領域５．３１，５．４１および側壁部６．３１，６．４１によって、コンテナ３．３，４．４のシート４．３，４．４に垂直に位置合わせされたまま保たれている。
【００８１】
図１０によると、２組のコンテナ３．１の間の隙間１１には、本体１の孔１４の１つのみを開放して他の孔１４をカバーするラベル１８がついている。これによって、本体１および容器１５からなる配置用のコードが提供される。
【００８２】
容器本体１６．１〜１６．４の側面および容器カバー１７．１〜１７．４の頂部では、容器１５はＩＤがついており、このＩＤは、それぞれの容器１５を収容するコンテナ３．１〜３．４の隣の頂壁２にあるＩＤ１２．１〜１２．４に対応する。容器のＩＤは図に示していない。
【００８３】
容器１５を備えた複数の本体１が、互いに積み重ねられている。上部本体１の半円形で傾斜した底部領域５．１２の底面が、下に配置されている本体１にある容器１５．１の容器カバー１７．１に載置される。
【００８４】
容器カバー１７．１が上部本体１の傾斜した底部領域５．１２および隣接した底部領域５．１１の側面に寄りかかっているので、本体１は互いに水平方向に移動することから守られる。
【００８５】
ユーザには、容器１５が積み重ねられているか、または積み重ねていない本体１が提供される。
【００８６】
図１３によると、ユーザは、試薬液を除去する前に、容器カバー１７．１〜１７．４を容器１５．１〜１５．４から取外すことができる。
【００８７】
ユーザがラボ自動システムを使用しない場合、ユーザは、収納手段である底型８．１を平坦な基部に設置し、ピペットを使用して容器から試薬液を除去してもよい。ユーザがラボ自動システムを用いて作業している場合、ユーザは、開口している容器１５．１〜１５．４を備えた本体１をラボ自動システムに挿入できる。底型８．１の外縁部が適切に寸法を決められると、ユーザは、ラボ自動システムのマイクロタイタープレートに対してワークプレイスの収納手段を直接に配置できる。例示的な実施形態では、底型の外形寸法は、ラボ自動システムのワークプレイスよりも大きい。
【００８８】
したがって、図１４から図１９によるアダプタ１９は、本体１をラボ自動システムに配置するために使用される。アダプタ１９は、基本的にボックス状のハウジングを有する。アダプタ１９は、ラボ自動システムのワークプレイスに設置可能な底型８．２を備えた下部２０と、本体１を収容する頂部２１とを有する。アダプタ１９の底型８．２は、利用された本体１の底型８．１に対して平行である。
【００８９】
アダプタ１９は、２つの対向するハウジング壁２２，２３を有する。ハウジング壁２２、２３は、下部２０および頂部２１の全高にわたり延びる。下部の領域では、ハウジング壁２２，２３がそれぞれ、２つのタブ状のハウジング壁セクション２４，２５，２６，２７を有する。タブ状のハウジング壁セクション２４，２５，２６，２７は、対向するハウジング壁２３，２２に対して垂直に位置合わせされている。頂部２１の領域では、２つの対向するハウジング壁２２，２３が、角度をつけられたハウジング壁セクション２４〜２７より上にある縁部領域２８，２９，３０，３１において、外方に突出し、さらなるハウジング壁３２，３３によって、それらの側縁部で互いに接続されている。２つのハウジング壁２２，２３が、アダプタ１９の２つの短辺を形成する。別の２つのハウジング壁３２，３３が、アダプタ１９の長辺を形成する。
【００９０】
図２０によると、保持具が、開口している容器１５が固定ピン３５〜３８および可動ピン３８．１の間で中に配置されている本体１およびアダプタ１９により形成されており、保持具３４はラボ自動システム４０のワークプレイス３９に置かれている。ハウジング壁２２，２３、およびハウジング壁セクション２４〜２７の外側底縁は、さらなる位置決め手段４２であるピン３５〜３８．１に対して位置合わせする位置決め手段４１となる。
【００９１】
図２１は、流体がピペットのピペット先端部４３により除去される場合の容器１５．２を示す。保持具３４のシート４．２に容器１５．２が傾斜して配置されていることによって、試薬液のほぼすべてを除去できる。わずかな残液のみ、容器１５．２の最も低い位置から抽出することができない。
【００９２】
図２２は、流体がピペット先端部４３により除去される場合の容器１５．２を示す。この場合も同様に、容器１５．２の傾斜によって、最も少量の流体のみが容器の中に残る。
【００９３】
図２３は、試薬液が除去される場合の容器１５．４を示す。この場合、より多くの残液が残る、というのは、容器１５．４がほぼ垂直に位置合わせされており、容器の底部が上方へ隆起しているからである。したがって、容器１５．４は、より廉価な試薬液を収容することを目的とするものである。
【００９４】
最後に、図２４は、垂直方向に位置合わせされているにもかかわらず、容器１５．３をほぼ完全に空にすることができることを示す。すなわち、容器の底部が下方に隆起し、流体の残液が容器の底部の中央に集まるからである。容器１５．３は、特に極めて少量だけ必要とされる高価な試薬液を目的とするものであり、容器１５．３が垂直方向に傾斜していても、ピペット先端部４３は容器の開口部を通って適合しないであろう。
【００９５】
図２５および図２６によると、充填された容器１５が中にある積み重なった２つの本体１が、ボール紙でできている立方体様の折畳み式ボックス４４に挿入されている。空の反応容器で充填されるプラスチック製のバッグ４５が、２つのスタック間に配置されている。折畳み式ボックス４４は、壁の２つの狭い頂縁部にダスト・フラップ４６，４７を有し、壁の長い頂縁部にカバー４８を有する。カバー４８は、固定フラップ５１用の挿入スロット５０を備えた閉止フラップ４９を有する。固定フラップ５１は、折畳み式ボックスの対向壁の頂縁部に形成されている。ダスト・フラップ４６，４７を下に回動させると、カバー４８を回動して閉止できる。閉止フラップ４９は、対向壁の後ろに挿入される。ついで、固定フラップ５１を挿入スロット５０に挿入すると、カバー４８を閉止位置で固定できる。ついで、備え付けの収納手段１が周囲条件の影響から保護されて収納される。
【符号の説明】
【００９６】
１  本体
２  頂壁
３，３．１〜３．４  容器
４，４．１〜４．４  シート
５，５．１〜５．４  底部
５．１１〜５．１３  底部領域
５．３１、５．３２  底部領域
５．４１、５．４２  底部領域
６，６．１〜６．４  側壁部
６．２１〜６．２４  側壁部
６．３１〜６．３２  側壁部
６．４１〜６．４２  側壁部
７，７．１〜７．４  頂部開口部
８，８．１、８．２  底型
９．１、９．２  段部
１０  縁取材
１１  隙間
１２，１２．１〜１２．４  ＩＤ
１３  さらなるＩＤ
１４  孔
１５，１５．１〜１５．４  容器
１６，１６．１〜１６．４  容器本体
１７，１７．１〜１７．４  容器カバー
１８ａ  ラベル
１９  アダプタ
２０  下部
２１  頂部
２２，２３  ハウジング壁
２４〜２７  ハウジング壁セクション
２８〜３１  縁部領域
３２，３３  さらなるハウジング壁
３４  保持具
３５〜３８．１  ピン
３９  ワークプレイス
４０  ラボ自動システム
４１  位置決め手段
４２  さらなる位置決め手段
４３  ピペット先端部
４４  折畳み式ボックス
４５  プラスチック製バッグ
４６，４７  ダスト・フラップ
４８  カバー
４９  閉止フラップ
５０  挿入スロット
５１  固定フラップ
【図１】
2015514998.tif 000003
【図２】
2015514998.tif 000004
【図３】
2015514998.tif 000005
【図４】
2015514998.tif 000006
【図５】
2015514998.tif 000007
【図６】
2015514998.tif 000008
【図７】
2015514998.tif 000009
【図８】
2015514998.tif 000010
【図９】
2015514998.tif 000011
【図１０】
2015514998.tif 000012
【図１１】
2015514998.tif 000013
【図１２】
2015514998.tif 000014
【図１３】
2015514998.tif 000015
【図１４】
2015514998.tif 000016
【図１５】
2015514998.tif 000017
【図１６】
2015514998.tif 000018
【図１７】
2015514998.tif 000019
【図１８】
2015514998.tif 000020
【図１９】
2015514998.tif 000021
【図２０】
2015514998.tif 000022
【図２１】
2015514998.tif 000023
【図２２】
2015514998.tif 000024
【図２３】
2015514998.tif 000025
【図２４】
2015514998.tif 000026
【図２５】
2015514998.tif 000027
【図２６】
2015514998.tif 000028
【国際調査報告】
2015514998.tif 000029
2015514998.tif 000030
2015514998.tif 000031
2015514998.tif 000032